(57)【要約】      （修正有）【課題】預金通帳、貯金通帳の記帳がスムーズに行えるとともに、ページに挟んで用いながらＡＴＭ（現金自動預け払い機）に挿入する際に取り忘れたり、又、他ページに挟んだままＡＴＭに挿入することを防止するためのしおりを提供する。【解決手段】短冊と紐とで成る預金通帳、貯金通帳用しおりにおいて、短冊１を横に用いてその短冊の左側及び右側に紐２を固着して下側により長い紐３を固着する。そのしおりを預金通帳、貯金通帳の記帳ページに挟んで用いれば、ＡＴＭにおいて取引明細を記帳する際に記帳ページが容易にわかり又、預金通帳、貯金通帳よりはみだしている紐により取り忘れを防ぐことができる、柔らかく細い紐を用いれば通帳入れ（カバー）にそのまま収納できる。【選択図】図１
0003193444.tif 000002
【実用新案登録請求の範囲】
【請求項１】
短冊と紐とで成るしおりにおいて、預金通帳、貯金通帳に挟んで閉じていたときにその存在が認められるように短冊に紐を固着するものであり、このしおりは横に用いた短冊の左側及び右側及び下側に紐の一端を固着し、下側の紐は左側及び右側の紐に対してより長い紐を用いることを特徴とする預金通帳、貯金通帳用しおり。
【考案の詳細な説明】
【技術分野】
【０００１】
本考案は、預金通帳、貯金通帳をＡＴＭ（現金自動預け払い機）において記帳する際に用いる預金通帳、貯金通帳用のしおりに関するものである。
【背景技術】
【０００２】
カード、通帳を用いて現金の預け入れ、払い戻し、振替、記帳などをおこなう装置ＡＴＭ（現金自動預け払い機）において通帳に取引明細を記帳する際、記帳するページを開いて挿入する必要がある。
【０００３】
従来のしおりはおもに短冊型のしおりであり又、紐しおりであり、書籍や手帳、日記帳などに用いられている。
【０００４】
又、短冊の上部に紐を取り付け、差し替えられる短冊と、固着した紐しおりを合わせたしおりが考案されている（特許文献１参照）。  
【先行技術文献】
【特許文献】
【０００５】
【特許文献１】実開平7-40163号広報
【考案の概要】
【考案が解決しようとする課題】
【０００６】
預金通帳、貯金通帳に取引明細を記帳する際、ＡＴＭ（現金自動預け払い機）に通帳の記帳ページを開いて挿入する必要があるので自身が手で繰って記帳ページを探す必要がある又、違うページを開いて挿入するとやり直しを求められる。
【０００７】
又、一部のＡＴＭ（現金自動預け払い機）は自動でページを繰って記帳ページを探す機種もあるが時間を要するそこで、預金通帳、貯金通帳の記帳ページにしおりを挟んでおけばページを繰って探す手間が省けスムーズな記帳ができる。
【０００８】
しかしＡＴＭ（現金自動預け払い機）に通帳を挿入する際には必ずしおりをはずしてから挿入しなければ故障や不具合が生じる。
【０００９】
上記特許文献１に示されたしおりは縦型で書籍用に考案されたしおりであり、別に横開きの預金通帳、貯金通帳用のしおりの考案が求められている。
【００１０】
本考案は、預金通帳、貯金通帳の記帳がスムーズに行えるとともに、ページにしおりを挟んで用いながらＡＴＭ（現金自動預け払い機）に挿入する際にしおりを取り忘れたり、又、他ページに挟んだままＡＴＭ（現金自動預け払い機）に挿入することを防止するために預金通帳、貯金通帳用になされたものである。
【課題を解決するための手段】
【００１１】
短冊と紐とで成るしおりにおいて、預金通帳、貯金通帳に挟んで閉じていたときにその存在が認められるように短冊に紐を固着するものであり、このしおりは横に用いた短冊の左側及び右側及び下側に紐の一端を固着し、下側の紐は左側及び右側の紐に対してより長い紐を用いることを特徴とする預金通帳、貯金通帳用しおりである。
【００１２】
横開きの預金通帳、貯金通帳用しおりとして、横に用いた短冊に紐の一端を固着するものであり、その紐は柔らかく細い紐を用い、紐の一端を左側及び右側及び下側に固着し、下側の紐は左側及び右側の紐に対してより長い紐を用いる。
【００１３】
短冊と紐とで成るしおりは横開きの預金通帳、貯金通帳用になされたもので、横に用いた短冊の左側及び右側及び下側の三か所に固着した紐は、左側及び右側の紐に対して下側の紐をより長く定めることにより、預金通帳、貯金通帳に用いたときに、左側及び右側はもとより下側からもその紐でしおりの存在を認めることができるものである。
【００１４】
したがって本考案によればこのしおりを預金通帳、貯金通帳に挟んで用いることで記帳ページが容易（簡単）にわかることになる。
【００１５】
又、ＡＴＭ（現金自動預け払い機）において記帳するときはしおりを取りはずしてから挿入しなければ故障や不具合が生じるが、本考案の預金通帳、貯金通帳用しおりを用いることで取り忘れを防止することができるすなわち、短冊だけだと他ページに挟まれたしおりを取り忘れる可能性があるが預金通帳、貯金通帳の三方より紐がはみだすことで他ページに挟まれていてもしおりの存在がわかり取り忘れを防止するものである。
【００１６】
又、しおりに固着した紐は柔らかく細い紐であるために預金通帳、貯金通帳からはみだした状態のままで通帳入れ（カバー）に収納することができる。
【００１７】
通帳入れ（カバー）は軟質な樹脂製で透明な通帳入れ（カバー）が多く用いられており従来の預金通帳、貯金通帳、通帳入れ（カバー）に本考案のしおりを用いると、下側の紐は通帳入れ（カバー）の底面にたたまれ、左側及び右側の紐は通帳入れ（カバー）の左側及び右側上部よりはみだすが従来通りの取り扱いが可能である。
【考案の効果】
【００１８】
本考案は以上のように構成されるため、ＡＴＭ（現金自動預け払い機）において取引明細を記帳する際に記帳ページが容易（簡単）にわかり又、スムーズに記帳が行なわれるとともに、なおかつ取り忘れを防ぐことができるものである。
【図面の簡単な説明】
【００１９】
【図１】横長の短冊と柔らかく細い紐の平面図
【図２】本考案の預金通帳、貯金通帳用しおりの平面図
【図３】図２の本考案のしおりを用いた実施形態を示す平面透視図
【図４】本考案のしおりを挟んだ預金通帳、貯金通帳を開いた平面図
【図５】樹脂製の通帳入れ（カバー）の平面図
【図６】樹脂製の通帳入れ（カバー）に本考案のしおりを挟んだ通帳を収納した平面図
【考案を実施するための形態】
【００２０】
本考案は預金通帳、貯金通帳用のしおりに関するものであり、書籍、手帳、日記帳とは別に預金通帳、貯金通帳用になされたものであり従来の預金通帳、貯金通帳、通帳入れ（カバー）と組み合わせて用いることで上記課題の解決をはかるものであり、以下図面により本考案の実施形態を説明する。
【００２１】
図１はその構成を示すもので、短冊1と柔らかく細い紐2及びその紐2に対してより長い紐3で構成される。
【００２２】
横に用いた短冊１の左側及び右側に柔らかく細い紐２の一端を固着して、短冊1の下側に紐２に対してより長い紐3の一端を固着したものが図２に示した本考案の預金通帳、貯金通帳用しおり10である。
【００２３】
したがって横に用いた短冊と紐とで成る本考案のしおり10を横開きの預金通帳、貯金通帳4に用いることで記帳ページが容易（簡単）にわかることになる、すなわち、しおり10に固着した紐２及び紐２に対してより長い紐３が預金通帳、貯金通帳4の左側及び右側及び下側の三方よりはみだすことでしおりの存在と記帳ページを認めることができるものである。
【００２４】
図３は図２の本考案のしおり10を預金通帳、貯金通帳4に挟んで用いた実施形態を示す平面透視図であり、図４はその預金通帳、貯金通帳4に本考案のしおり10を挟んだページを開いた平面図である。
【００２５】
そのしおり10は横に用いた短冊と三方に固着した柔らかく細い紐でその存在を認めるとともに、他ページに挟まれていても取り忘れを防ぐことができるものである。
【００２６】
又、しおりについている紐２及び紐２に対してより長い紐３は柔らかく細い紐であるために預金通帳、貯金通帳４からはみだした状態のままで通帳入れ（カバー）5に収納することができる。
【００２７】
図５の通帳入れ（カバー）5は透明な樹脂製で本考案のしおり１０を預金通帳、貯金通帳4に挟んで用いると、図６のように下側の長い紐３は通帳入れ（カバー）5の底面にたたまれ、左側及び右側の紐２は通帳入れ（カバー）5の左側及び右側上部よりはみだすが従来通りの取り扱いが可能である。
【００２８】
図６は上記通帳入れ（カバー）5に本考案のしおり１０を用いた預金通帳、貯金通帳４を収納した状態を示した平面図であり、従来の預金通帳、貯金通帳及び通帳入れ（カバー）をそのまま用いることができるものである。
【符号の説明】
【００２９】
10  預金通帳、貯金通帳用しおり
・  短冊
・  紐
・  長い紐
・  預金通帳、貯金通帳
・  通帳入れ（カバー）
【図１】
0003193444.tif 000003
【図２】
0003193444.tif 000004
【図３】
0003193444.tif 000005
【図４】
0003193444.tif 000006
【図５】
0003193444.tif 000007
【図６】
0003193444.tif 000008